(57)【要約】【課題】通信端末からホームネットワークへアクセスする手順を確立する。【解決手段】パケット転送を制御するＣＮ（コアネットワーク）１１と、ホームネットワークと接続するＨＮＢ（宅内基地局装置）６１を備える通信システムであって、ＣＮ１１は、ＨＮＢ６１を使用してホームネットワークへアクセスすることを要求するアクセス要求メッセージを、ＵＥ（移動機）７１から受信する通信部と、ＵＥ７１を特定する加入者情報と、ＵＥ７１が接続可能なＨＮＢ６１とを対応づけたリストを格納するデータ部と、アクセス要求メッセージとリストとに基づいて、ＵＥ７１と、当該ＵＥ７１が接続可能なＨＮＢ６１との間のコネクションの確立を要求する制御部と、を備え、ＨＮＢ６１は、ＣＮ１１からの要求に応じて、ＣＮ１１とのコネクションを確立させる。【選択図】図１
2010283763.tif 000002
【特許請求の範囲】
【請求項１】
パケット転送を制御するコアネットワークであって、
宅内基地局装置を使用してホームネットワークへアクセスすることを要求するアクセス要求メッセージを、通信端末から受信する通信手段と、
前記通信端末を特定する加入者情報と、前記通信端末が接続可能な宅内基地局装置とを対応づけたリストを格納するデータ手段と、
前記アクセス要求メッセージと前記リストとに基づいて、前記通信端末と前記通信端末が接続可能な宅内基地局装置との間のコネクションを確立させる制御手段と、を備える、コアネットワーク。
【請求項２】
前記アクセス要求メッセージは、前記加入者情報と、ホームネットワークアクセス要求とを含み、
前記制御手段は、前記ホームネットワークアクセス要求に応じて、前記加入者情報と前記リストとを用いて、前記通信端末が接続可能な宅内基地局装置を選択すること特徴とする請求項１記載のコアネットワーク。
【請求項３】
前記通信手段は、前記選択された宅内基地局装置と自装置とのコネクションの確立を要求するコネクション確立要求メッセージを送信し、その後、コネクション確立完了メッセージを受信すること特徴とする請求項２記載のコアネットワーク。
【請求項４】
前記コネクション確立要求メッセージは、前記選択された宅内基地局装置を識別する宅内基地局番号と、ホームネットワークアクセス要求とを含むことを特徴とする請求項２または３記載のコアネットワーク。
【請求項５】
前記アクセス要求メッセージは、３ＧＰＰ（Third Generation Partnership Project）に定義されているサービスリクエストメッセージが用いられ、サービスタイプに前記ホームネットワークアクセス要求を設定することを特徴とする請求項１乃至４のいずれか一項に記載のコアネットワーク。
【請求項６】
前記コネクション確立要求メッセージは、３ＧＰＰに定義されているＲＡＢアサインメントリクエストメッセージが用いられ、前記ホームネットワークアクセス要求のパラメータを含むことを特徴とする請求項３乃至５のいずれか一項に記載のコアネットワーク。
【請求項７】
前記コネクション確立要求メッセージは、３ＧＰＰに定義されているページングメッセージが用いられ、ページングコーズに前記ホームネットワークアクセス要求を設定することを特徴とする請求項３乃至５のいずれか一項に記載のコアネットワーク。
【請求項８】
ホームネットワークと接続する宅内基地局装置であって、
メッセージを前記ホームネットワークに接続する宅内機器へ転送するポートを管理するポート管理手段と、
ホームネットワークへアクセスするコネクションの確立を要求するコネクション確立要求メッセージを受信する受信手段と、
前記コネクション確立要求メッセージに応じて、前記ポート管理手段へポートを開放させる基地局制御手段と、
前記ポートの開放処理が完了すると、コネクションの確立要求が完了したことを通知するメッセージを返信する送信手段と、を備える、宅内基地局装置。
【請求項９】
前記コネクション確立要求メッセージは、宅内基地局番号と、ホームネットワークアクセス要求とを含み、
前記基地局制御手段は、前記ホームネットワークアクセス要求を検出すると、前記ポートの開放処理を前記ポート管理手段へ指示することを特徴とする請求項８記載の宅内基地局装置。
【請求項１０】
パケット転送を制御するコアネットワークと、ホームネットワークと接続する宅内基地局装置を備える通信システムであって、
前記コアネットワークは、
前記宅内基地局装置を使用してホームネットワークへアクセスすることを要求するアクセス要求メッセージを、通信端末から受信する通信手段と、
前記通信端末を特定する加入者情報と、前記通信端末が接続可能な宅内基地局装置とを対応づけたリストを格納するデータ手段と、
前記アクセス要求メッセージと前記リストとに基づいて、前記通信端末と前記通信端末が接続可能な宅内基地局装置との間のコネクションの確立を要求する制御手段と、を備え、
前記宅内基地局装置は、前記コアネットワークからの要求に応じて、前記コアネットワークとのコネクションを確立させる、通信システム。
【請求項１１】
前記アクセス要求メッセージは、前記加入者情報と、ホームネットワークアクセス要求とを含み、
前記制御手段は、前記ホームネットワークアクセス要求に応じて、前記加入者情報と前記リストとを用いて、前記通信端末が接続可能な宅内基地局装置を選択し、
前記通信手段は、前記選択された宅内基地局装置と自装置とのコネクションの確立を要求するコネクション確立要求メッセージを送信し、
前記宅内基地局装置は、
メッセージを前記ホームネットワークに接続する宅内機器へ転送するポートを管理するポート管理手段と、
前記コネクション確立要求メッセージを受信する受信手段と、
前記コネクション確立要求メッセージに応じて、前記ポート管理手段へポートを開放させる基地局制御手段と、
前記ポートの開放処理が完了すると、コネクションの確立要求が完了したことを通知するメッセージを返信する送信手段と、を備えることを特徴とする請求項１０記載の通信システム。
【請求項１２】
前記コネクション確立要求メッセージは、前記選択された宅内基地局装置を識別する宅内基地局番号と、ホームネットワークアクセス要求とを含むことを特徴とする請求項１１記載の通信システム。
【請求項１３】
コアネットワークと、宅内基地局装置と、通信端末とを備える通信システムであって、
前記通信端末は、
前記宅内基地局装置を介してホームネットワークへアクセスすることを要求することを示す情報を、アクセス要求メッセージに含めて前記コアネットワークに送信し、
前記コアネットワークは、
前記アクセス要求メッセージを、通信端末から受信する、通信システム。
【請求項１４】
前記コアネットワークは、前記アクセス要求メッセージに基づいて、前記通信端末が接続可能な宅内基地局装置との間のコネクションの確立を要求するコネクション確立要求メッセージを送信し、
前記宅内基地局装置は、前記コネクション確立要求メッセージに応じて、前記コアネットワークとのコネクションを確立させる、請求項１３記載の通信システム。
【請求項１５】
前記アクセス要求メッセージは、３ＧＰＰ（Third Generation Partnership Project）に定義されているサービスリクエストメッセージが用いられ、サービスタイプに前記ホームネットワークアクセス要求を設定することを特徴とする請求項１０乃至１４のいずれか一項に記載の通信システム。
【請求項１６】
前記コネクション確立要求メッセージは、３ＧＰＰに定義されているＲＡＢアサインメントリクエストメッセージが用いられ、前記ホームネットワークアクセス要求のパラメータが含まれることを特徴とする請求項１１、１２または１５のいずれか一項に記載の通信システム。
【請求項１７】
前記コネクション確立要求メッセージは、３ＧＰＰに定義されているページングメッセージが用いられ、ページングコーズに前記ホームネットワークアクセス要求を設定することを特徴とする請求項１１、１２または１５のいずれか一項に記載の通信システム。
【請求項１８】
宅内基地局装置を介してホームネットワークへアクセスすることを要求することを示す情報を、アクセス要求メッセージへ含めてコアネットワークへ送信する通信端末。
【請求項１９】
コアネットワークの通信方法であって、
宅内基地局装置を使用してホームネットワークへアクセスすることを要求するアクセス要求メッセージを、通信端末から受信し、
前記アクセス要求メッセージに基づいて、前記通信端末と前記通信端末が接続可能な宅内基地局装置との間のコネクションを確立させるコアネットワークの通信方法。
【請求項２０】
ホームネットワークと接続する宅内基地局装置の通信方法であって、
ホームネットワークへアクセスするコネクションの確立を要求するコネクション確立要求メッセージを受信し、
前記コネクション確立要求メッセージに応じて、メッセージを前記ホームネットワークに接続する宅内機器へ転送するポートを開放し、
前記ポートの開放処理が完了すると、コネクションの確立要求が完了したことを通知するメッセージを返信する宅内基地局装置の通信方法。
【請求項２１】
コアネットワークと、ホームネットワークと接続する宅内基地局装置を備える通信方法であって、
前記コアネットワークは、
前記宅内基地局装置を使用してホームネットワークへアクセスすることを要求するアクセス要求メッセージを、通信端末から受信し、
前記アクセス要求メッセージに基づいて、前記通信端末と前記通信端末が接続可能な宅内基地局装置との間のコネクションの確立を要求し、
前記宅内基地局装置は、
前記コアネットワークからの要求に応じて、前記コアネットワークとのコネクションを確立させる通信方法。
【請求項２２】
前記アクセス要求メッセージは、前記加入者情報と、ホームネットワークアクセス要求とを含み、
前記コアネットワークによる前記コネクションの確立の要求は、
前記ホームネットワークアクセス要求に応じて、前記加入者情報と前記通信端末を特定する加入者情報と、前記通信端末が接続可能な宅内基地局装置とを対応づけたリストとを用いて、前記通信端末が接続可能な宅内基地局装置を選択し、
前記選択された宅内基地局装置と自装置とのコネクションの確立を要求するコネクション確立要求メッセージを送信し、
前記宅内基地局装置による前記コネクションの確立は、
前記コネクション確立要求メッセージを受信し、
前記コネクション確立要求メッセージに応じて、メッセージを前記ホームネットワークに接続する宅内機器へ転送するポートを開放し、
前記ポートの開放処理が完了すると、コネクションの確立要求が完了したことを通知するメッセージを返信することを特徴とする請求項２１記載の通信方法。
【請求項２３】
コアネットワークがコネクションを確立させるプログラムであって、
コンピュータに、
通信端末が送信する、宅内基地局装置を介してホームネットワークへアクセスすることを要求するアクセス要求メッセージに応じて、前記通信端末が接続可能な宅内基地局装置を選択する処理と、
前記通信端末と前記通信端末が接続可能な宅内基地局装置との間のコネクションを確立させる処理と、を実行させるプログラム。
【請求項２４】
ホームネットワークと接続する宅内基地局装置がコネクションを確立させるプログラムであって、
コンピュータに、
ホームネットワークへアクセスするコネクションの確立を要求するコネクション確立要求メッセージに応じて、メッセージを前記ホームネットワークに接続する宅内機器へ転送するポートを開放する処理と、
前記ポートの開放処理が完了すると、コネクションの確立要求が完了したことを通知するメッセージを通知する処理と、を実行させるプログラム。
【発明の詳細な説明】
【技術分野】
【０００１】
本発明は、通信端末がホームネットワークへアクセスする方法に関し、特に、携帯端末が宅内基地局を利用してホームネットワークに接続された宅内機器へアクセスする方法に関する。
【背景技術】
【０００２】
近年、宅内にホームネットワークを設置し、ホームネットワークとＩＰ（Internet Protocol）ネットワークとを接続し、ＩＰネットワークを介して宅内機器の遠隔操作を可能にするホームネットワークサービスが提供されている（例えば、特許文献１）。
【０００３】
携帯端末がこのホームネットワークサービスへアクセスする場合、パケットサービスを提供する無線通信システムを介して行うことが考えられる。無線通信システムでは、コアネットワークが、携帯端末からのアクセス要求をパケットサービス確立手順に従って制御する。また、通信状況を改善するため、従来の基地局に比べて制御／監視するエリアが狭いフェムト基地局が開発され、宅内に配置されている。
【０００４】
従来のパケットサービス確立手順では、コアネットワークからのＲＡＢ（Radio Access Bearer）確立要求に従い、フェムト基地局は携帯端末とのＰＳ  ＲＡＢ（Packet Switched RAB）確立を実施していた。
【０００５】
また、無線通信システムでは、基地局は、数ｋｍや数十ｋｍといった広いエリアを制御／監視する目的で設置され、マクロネットワークを用いて広範囲のエリアをカバーする。従って、各家庭を個別にカバーする目的には適した装置ではなかった。
【０００６】
これに対し、フェムト基地局は、カバーするエリアが数十ｍと狭く、無線ＬＡＮ（Local Area Network）のように各家庭に設置することを想定している。従って、ＩＰネットワークを用いて宅内に設置された宅内機器との連携が実現可能になる。
【０００７】
現在、３ＧＰＰ（Third Generation Partnership Project）において、第三世代携帯電話システムの仕様の検討・作成が行われている。例えば、非特許文献１から４に、関連する通信手順の仕様が定義されている。３ＧＰＰでは、マクロネットワークのように広いエリアをカバーする目的で仕様の定義が行われている。このため、既存のマクロネットワークの装置構成では、基地局から宅内に設置された宅内機器を制御するという手順が作成されていない。
【０００８】
このため、３ＧＰＰに沿った通信手順を用いてパケットサービス確立する場合、次のような課題がある。
第１の課題は、携帯端末が宅内機器を遠隔操作するコネクションの確立ができないことである。具体的には、携帯端末が宅内機器へのアクセス要求をコアネットワークに送信すると、コアネットワークはフェムト基地局へ携帯端末とのＲＡＢ確立を要求する。コアネットワークからの要求に従い、フェムト基地局は常に携帯端末とのＲＡＢ確立を実施する。一方、ホームネットワークに接続されている宅内機器を制御するためには、ホームネットワークが使用するポートを用いて宅内機器へアクセスするため、ＲＡＢ確立と両立させることができない。
このため、携帯端末と宅内機器との間において、宅内機器を遠隔操作するホームネットワークサービスに必要なコネクションの確立を実現することができなかった。
【０００９】
第２の課題は、通常のパケットサービスかホームネットワークサービスか否かを識別する情報が装置間で共有されないため、サービスを意識した処理手順を実現することができなかったことである。
【先行技術文献】
【特許文献】
【００１０】
【特許文献１】特開２００６−３５２２８６号公報
【非特許文献】
【００１１】
【非特許文献１】３ＧＰＰ  ＴＳ  ２４．００８  Ｖ８．５．０、２００９年３月、９．４．２０章、９．５．１章、９・５・２章
【非特許文献２】３ＧＰＰ  ＴＳ  ２５．３３１  Ｖ８．６．０、２００９年３月、８．２章、８．１５章、８．２２章、８．２３章
【非特許文献３】３ＧＰＰ  ＴＳ  ２５．４１３  Ｖ８．２．１、２００９年３月、８．２章、８．１５章、８．２２章、８．２３章、９．１．３章、９．１．２３章
【非特許文献４】３ＧＰＰ  ＴＳ  ２５．４６８  Ｖ８．１．０、２００９年３月、８．２章、８．３章
【発明の概要】
【発明が解決しようとする課題】
【００１２】
本発明の目的は、通信端末からホームネットワークへアクセスする手順を確立することである。
【課題を解決するための手段】
【００１３】
本発明に係るコアネットワークの一態様は、パケット転送を制御するコアネットワークであって、宅内基地局装置を使用してホームネットワークへアクセスすることを要求するアクセス要求メッセージを、通信端末から受信する通信部と、前記通信端末を特定する加入者情報と、前記通信端末が接続可能な宅内基地局装置とを対応づけたリストを格納するデータ部と、
前記アクセス要求メッセージと前記リストとに基づいて、前記通信端末と前記通信端末が接続可能な宅内基地局装置との間のコネクションを確立させる制御部と、を備える。
【００１４】
また、本発明に係る宅内基地局の一態様は、ホームネットワークと接続する宅内基地局装置であって、メッセージを前記ホームネットワークに接続する宅内機器へ転送するポートを管理するポート管理部と、ホームネットワークへアクセスするコネクションの確立を要求するコネクション確立要求メッセージを受信する受信部と、前記コネクション確立要求メッセージに応じて、前記ポート管理部へポートを開放させる基地局制御部と、前記ポートの開放処理が完了すると、コネクションの確立要求が完了したことを通知するメッセージを返信する送信部と、を備える。
【００１５】
さらに、本発明に係る通信システムの一態様は、パケット転送を制御するコアネットワークと、ホームネットワークと接続する宅内基地局装置を備える通信システムであって、前記コアネットワークは、前記宅内基地局装置を使用してホームネットワークへアクセスすることを要求するアクセス要求メッセージを、通信端末から受信する通信部と、前記通信端末を特定する加入者情報と、前記通信端末が接続可能な宅内基地局装置とを対応づけたリストを格納するデータ部と、前記アクセス要求メッセージと前記リストとに基づいて、前記通信端末と前記通信端末が接続可能な宅内基地局装置との間のコネクションの確立を要求する制御部と、を備え、前記宅内基地局装置は、前記コアネットワークからの要求に応じて、前記コアネットワークとのコネクションを確立させる。
【００１６】
さらに、本発明に係る通信システムの他の一態様は、コアネットワークと、宅内基地局装置と、通信端末とを備える通信システムであって、前記通信端末は、前記宅内基地局装置を介してホームネットワークへアクセスすることを要求することを示す情報を、アクセス要求メッセージに含めて前記コアネットワークに送信し、前記コアネットワークは、前記アクセス要求メッセージを、通信端末から受信する。
【００１７】
また、本発明に係る通信端末の一態様は、宅内基地局装置を介してホームネットワークへアクセスすることを要求することを示す情報を、アクセス要求メッセージへ含めてコアネットワークへ送信する。
【００１８】
本発明に係るコアネットワーク通信方法の一態様は、コアネットワークの通信方法であって、宅内基地局装置を使用してホームネットワークへアクセスすることを要求するアクセス要求メッセージを、通信端末から受信し、前記アクセス要求メッセージに基づいて、前記通信端末と前記通信端末が接続可能な宅内基地局装置との間のコネクションを確立させる。
【００１９】
本発明に係る宅内基地局の通信方法の一態様は、ホームネットワークと接続する宅内基地局装置の通信方法であって、ホームネットワークへアクセスするコネクションの確立を要求するコネクション確立要求メッセージを受信し、前記コネクション確立要求メッセージに応じて、メッセージを前記ホームネットワークに接続する宅内機器へ転送するポートを開放し、前記ポートの開放処理が完了すると、コネクションの確立要求が完了したことを通知するメッセージを返信する。
【００２０】
本発明に係る通信方法の一態様は、コアネットワークと、ホームネットワークと接続する宅内基地局装置を備える通信方法であって、前記コアネットワークは、前記宅内基地局装置を使用してホームネットワークへアクセスすることを要求するアクセス要求メッセージを、通信端末から受信し、前記アクセス要求メッセージに基づいて、前記通信端末と前記通信端末が接続可能な宅内基地局装置との間のコネクションの確立を要求し、前記宅内基地局装置は、前記コアネットワークからの要求に応じて、前記コアネットワークとのコネクションを確立させる。
【００２１】
本発明に係るプログラムの一態様は、コアネットワークがコネクションを確立させるプログラムであって、コンピュータに、通信端末が送信する、宅内基地局装置を介してホームネットワークへアクセスすることを要求するアクセス要求メッセージに応じて、前記通信端末が接続可能な宅内基地局装置を選択する処理と、前記通信端末と前記通信端末が接続可能な宅内基地局装置との間のコネクションを確立させる処理と、を実行させる。
【００２２】
本発明に係るプログラムの他の一態様は、ホームネットワークと接続する宅内基地局装置がコネクションを確立させるプログラムであって、コンピュータに、ホームネットワークへアクセスするコネクションの確立を要求するコネクション確立要求メッセージに応じて、メッセージを前記ホームネットワークに接続する宅内機器へ転送するポートを開放する処理と、前記ポートの開放処理が完了すると、コネクションの確立要求が完了したことを通知するメッセージを通知する処理と、を実行させる。
【発明の効果】
【００２３】
本発明によれば、通信端末がホームネットワークへアクセスする手順を提供することが可能となる。
【図面の簡単な説明】
【００２４】
【図１】本発明のホームネットワークアクセスを実現する通信システム構成例を示すブロック図である。
【図２】図１の構成において、移動機が宅内でフェムト基地局装置と直接通信を行う状況を示すブロック図である。
【図３】コアネットワークの構成例を示すブロック図である。
【図４】フェムト基地局装置の構成例を示すブロック図である。
【図５】本発明に係る通信システムの動作例の概略を示すフローチャートである。
【図６】実施形態１の外部から宅内機器を遠隔操作する処理手順の一例を示すシーケンス図（前半部分）である。
【図７】実施形態１の外部から宅内機器を遠隔操作する処理手順の一例を示すシーケンス図（後半部分）である。
【図８】図６のステップＡ−２で使用するメッセージの構成を示す図である。
【図９】Ｓｅｒｖｉｃｅ  Ｔｙｐｅに設定されている情報を示す図である。
【図１０】実施形態１の宅内から宅内機器を遠隔操作する処理手順の一例を示すシーケンス図（前半部分）である。
【図１１】実施形態１の宅内から宅内機器を遠隔操作する処理手順の一例を示すシーケンス図（後半部分）である。
【図１２】実施形態２の外部から宅内機器を遠隔操作する処理手順の一例を示すシーケンス図（前半部分）である。
【図１３】実施形態２の外部から宅内機器を遠隔操作する処理手順の一例を示すシーケンス図（後半部分）である。
【図１４】実施形態３の外部から宅内機器を遠隔操作する処理手順の一例を示すシーケンス図（前半部分）である。
【図１５】実施形態３の外部から宅内機器を遠隔操作する処理手順の一例を示すシーケンス図（後半部分）である。
【図１６】図１４のステップＤ−９で使用するメッセージの構成を示す図である。
【図１７】Ｐａｇｉｎｇ  Ｃａｕｓｅに設定されている情報を示す図である。
【発明を実施するための形態】
【００２５】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００２６】
以下の各実施形態では、フェムトセルシステムを用いて、通信端末が宅内や外部の遠隔地からパソコン等の宅内機器とのネットワーク通信を実現する処理手順を説明する。
通信端末は、アクセス要求メッセージをコアネットワークに通知する。アクセス要求メッセージは、自端末の加入者情報と、ホームネットワークアクセス要求とを含む。ホームネットワークアクセス要求は、通信端末がホームネットワークに接続された宅内機器へアクセスする要求であり、言い換えれば、通信端末がフェムト基地局装置（宅内基地局装置）を使用して、ホームネットワークへ接続するコネクションを確立する要求である。
コアネットワークは、アクセス要求メッセージを受信すると、通信端末が宅内機器とネットワーク通信を行うために必要なフェムト基地局を特定し、通信端末が宅内機器にアクセスするために必要となるコネクションを確立する。
以下、各実施形態を説明する。
【００２７】
（実施形態１）
図１に、本発明のホームネットワークアクセスを実現する通信システム構成例を示す。通信システムは、コアネットワーク（ＣＮ）１１、基地局制御装置（ＲＮＣ）２１、マクロ基地局（ＮｏｄeＢ）３１、フェムトゲートウェイ（ＨＮＢ−ＧＷ）４１、モデム５１、フェムト基地局装置（ＨＮＢ）６１、移動機（ＵＥ）７１を備える。
【００２８】
コアネットワーク（ＣＮ）１１は、パケット転送を制御する装置である。ここでは、パケット転送に必要な通信回線を含んでいる。上位ノードであるコアネットワーク（ＣＮ）１１は、フェムト基地局装置（ＨＮＢ）６１を管理しているフェムトゲートウェイ（ＨＮＢ−ＧＷ）４１と接続している。
基地局制御装置（ＲＮＣ）２１は、マクロ基地局（ＮｏｄeＢ）３１を制御／監視する。
マクロ基地局（ＮｏｄeＢ）３１は、自装置のマクロネットワーク内に存在する移動機（ＵＥ）７１の通信を制御する。
【００２９】
フェムトゲートウェイ（ＨＮＢ−ＧＷ）４１は、フェムト基地局装置（ＨＮＢ）６１を管理し、コアネットワーク（ＣＮ）１１とフェムト基地局装置（ＨＮＢ）６１との通信を、インターネット９１を介して仲介する。
モデム５１は、信号の変換を行う。例えば、電話回線のモデム、ＡＤＳＬ（Asymmetric Digital Subscriber Line ）用のＡＤＳＬモデム、ケーブルテレビ用のモデム、あるいは、無線通信用の無線モデム等の機種が用いられる。モデムの機種は、インターネット９１と、ＨＮＢ６１及び宅内機器８１との間の通信回線の種類や接続形態などに応じて選択される。
【００３０】
フェムト基地局装置（ＨＮＢ）６１は、自装置のフェムトセル内に存在する移動機（ＵＥ）７１の通信を制御する。また、フェムト基地局装置（ＨＮＢ）６１は、モデム５１を介してホームネットワーク（ＬＡＮ）と接続している。フェムト基地局装置（ＨＮＢ）６１は、インターネット９１などを経由して、フェムトゲートウェイ（ＨＮＢ−ＧＷ）４１と接続している。
【００３１】
移動機（ＵＥ）７１は、無線回線を用いて通信する通信端末である。移動機（ＵＥ）７１には、携帯端末、携帯電話などを含む。移動機（ＵＥ）７１はマクロ基地局（ＮｏｄｅＢ３１）と基地局制御装置（ＲＮＣ）２１とを経由して、宅内機器８１にアクセスが可能である。
【００３２】
図２は、移動機（ＵＥ）７１が宅内でフェムト基地局装置（ＨＮＢ）６１と直接通信を行う場合を示している。宅内機器８１にアクセスするルートが異なる以外、基本的な構成は図１と同様である。
【００３３】
図１や図２に示す基地局制御装置（ＲＮＣ）２１またはフェムトゲートウェイ（ＨＮＢ−ＧＷ）４１の上位装置として、回線交換サービスを実施するＭＳＣ（Mobile-services Switching Centre）装置とパケット交換サービスを実施するＳＧＳＮ（Serving GPRS Support Node）装置が存在する。当業者にとってよく知られており、また本発明とは直接関係しないので、その詳細な構成は省略する。また、以降の説明では、適宜、図１に記載してある構成要素の名称（略称）を用いて説明する。
【００３４】
次に、ＣＮ１１の構成について説明する。図３にＣＮ１１の構成例を示す。ＣＮ１１は、制御部１１１、受信部１１２、送信部１１３、及び、データ部１１４を備える。また、受信部１１２と送信部１１３とを、通信部１１５ともいう。
制御部１１１は、メッセージの送受信やデータとの整合を行う。
受信部１１２は、ＲＮＣ２１やＨＮＢ−ＧＷ４１からのメッセージを受信する。
送信部１１３は、ＲＮＣ２１やＨＮＢ−ＧＷ４１へメッセージを送信する。
データ部１１４は、ＵＥ７１が接続可能なフェムト基地局リストを管理するデータベースを保持する。
【００３５】
データ部１１４が保持するデータベースは、加入者情報と、加入者情報によって特定されるＵＥ７１が接続可能なフェムト基地局識別情報、ゲートウェイ識別情報とを含む。また、データベースは、加入者情報とフェムト基地局情報とを対応づけるマッピング情報（リスト）として保持する。例えば、加入者情報は、ＵＥ７１を特定する端末識別子（例．ＩＭＳＩ）であり、フェムト基地局識別情報は、当該ＵＥ７１がアクセス可能なフェムト基地局番号（例．ＨＮＢ  ＩＤ）である。ゲートウェイ識別情報は、フェムト基地局が接続するゲートウェイを識別するゲートウェイ番号（例．ＲＮＣ  ＩＤ）である。
【００３６】
次に、フェムト基地局装置の構成について説明する。図４にＨＮＢ６１の構成例を示す。ＨＮＢ６１は、制御部（基地局制御部）６１１、受信部（基地局受信部）６１２、送信部（基地局送信部）６１３、及び、ポート管理部６１４を備える。また、受信部６１２と送信部６１３とを、通信部（基地局通信部）６１５ともいう。
制御部６１１は、メッセージの送受信や物理ポートの制御を行う。
受信部６１２は、ＨＮＢ−ＧＷ４１やＵＥ７１からのメッセージを受信する。
送信部６１３は、ＨＮＢ−ＧＷ４１やＵＥ７１へメッセージを送信する。
ポート管理部６１４は、ポート（プライベートポート）の状態を管理する。
【００３７】
続いて、本発明に係る通信システムの動作を説明する。図５は、本発明に係る通信システムの動作例の概略を示すフローチャートである。点線の矢印は装置間のメッセージの流れを示す。
まず、ＵＥ７１は、ホームネットワークへのアクセスを要求するアクセス要求メッセージを送信する（ステップＳ１１）。このとき、ＵＥ７１は、アクセス要求メッセージに、ホームネットワークアクセス要求及び加入者情報を含める。
【００３８】
ＣＮ１１では、受信部１１２は、ＵＥ７１からアクセス要求メッセージを受信すると（ステップＳ２１）、制御部１１１へ通知する。制御部１１１は、アクセス要求メッセージの受信が通知されると、ＵＥ７１から、ホームネットワークアクセスを要求されたと判断し、接続先のフェムト基地局の特定を行う（ステップＳ２２）。具体的には、制御部１１１は、アクセス要求メッセージに基づいて、データ部１１４のデータベースを参照して、加入者情報とフェムト基地局情報とを対応づけたリストを入手し、ＵＥ７１が接続可能なフェムト基地局番号を選択する。続いて、制御部１１１は、ホームネットワークアクセス要求と接続先のフェムト基地局番号とを含む、コネクション確立要求メッセージを送信部１１３を介して送信する（ステップＳ２３）。
【００３９】
ＨＮＢ６１では、受信部６１２は、コネクション確立要求メッセージを受信すると、制御部６１１へ通知する（ステップＳ３１）。制御部６１１は、コネクション確立要求メッセージがホームネットワークへアクセスする要求であることを判断する（ステップＳ３２）。
【００４０】
その後、制御部６１１は、ポート管理部６１４に対して、宅内機器８１に対するメッセージを転送できるように、プライベートポートのアドレスを開放するように要求する。ここでは、制御部６１１は、本来、ＵＥ７１向けに送信する無線通信システム側のメッセージ送信を送信部６１３に対して要求しない。メッセージ送信にかえて、ポート管理部６１４に対して、プライベートポートアドレスの開放を実施するように要求する。これによって、ＨＮＢ６１は、ＵＥ７１から受信する宅内機器８１宛のメッセージを、宛先の宅内機器８１へ転送できるようになる。
【００４１】
ポート管理部６１４は、制御部６１１の指示に従って、プライベートポートアドレスを開放する（ステップＳ３３）。
ポート管理部６１４でのポート開放処理が完了すると、制御部６１１は、ＣＮ１１からの要求完了を示すコネクション確立完了メッセージの送信を、送信部６１３へ要求する（ステップＳ３４）。
ＣＮ１１では、受信部１１２は、コネクション確率完了メッセージを受信する（Ｓ２４）。その後、コネクションの確立がＵＥ７１へ通知される（Ｓ１２）。
【００４２】
次に図６と図７のシーケンス図を用いて、外部から宅内機器を遠隔操作する処理手順について説明する。以降の説明では、３ＧＰＰに従った通信手順を用いる。
【００４３】
ＵＥ７１はホームネットワークにアクセスを行うため、ＲＮＣ２１との間でＲＲＣ  Ｃｏｎｎｅｃｔｉｏｎの確立を実施する（ステップＡ−１）。その後、ＲＮＣ２１経由でＣＮ１１に対して、サービス要求を送信する。サービス要求を行うＧＭＭ：Ｓｅｒｖｉｃｅ  Ｒｅｑｕｅｓｔメッセージ（アクセス要求メッセージの一例）を用いる。ＵＥ７１は、当該メッセージに設定するＳｅｒｖｉｃｅ  Ｔｙｐｅを用いてホームネットワークアクセスであることを通知する（ステップＡ−２）。
【００４４】
図８に、ステップＡ−２で使用するメッセージの構成を示す。図８では、メッセージに含まれるパラメータを示している。これらのパラメータは、非特許文献１のＴａｂｌｅ  ９．４．２０に基づいているため、各パラメータの詳細な説明を省略する。加入者情報は、「Ｐ−ＴＭＳＩ」に対応し、ホームネットワークアクセス要求であることは、「Ｓｅｒｖｉｃｅ  Ｔｙｐｅ」に設定することができる。図９に、「Ｓｅｒｖｉｃｅ  Ｔｙｐｅ」に現段階で設定されている情報を示す。本実施形態では、「Ｓｅｒｖｉｃｅ  Ｔｙｐｅ」に、図９に設定されていないＢｉｔｓの値（例えば、１０１）を新たに設定することによって、ＵＥ７１は、ホームネットワークアクセス要求であることをＣＮ１１へ通知することが可能になる。
【００４５】
ＣＮ１１は不正端末からのアクセスでないことを確認するため、認証とセキュリティのチェックを行う（ステップＡ−３）。ＵＥ７１はパケットサービスを実施するため、ＰＤＰ  Ｃｏｎｔｅｘｔの起動をＣＮ１１に要求する（ステップＡ−４）。
【００４６】
ＣＮ１１はＵＥ７１のホームネットワークアクセス要求に従い、データ部１１４に事前に登録したデータベースを用いて、ＵＥ７１がアクセス可能なＨＮＢ６１を特定する（ステップＡ−５）。ＣＮ１１内部では次のように動作する。制御部１１１は、ＵＥ７１のホームネットワークアクセス要求に従い、データ部１１４が保持するデータベースを参照する。制御部１１１は、ＵＥ７１がアクセスできるＨＮＢ６１をデータベースから選択し、フェムト基地局番号を取得する。
【００４７】
ＣＮ１１は、ＵＥ７１との間でユーザーデータを送受信するためのコネクションを確立するため、ＲＮＣ２１に対してＲＡＮＡＰ：ＲＡＢ  Ａｓｓｉｇｎｍｅｎｔ  Ｒｅｑｕｅｓｔメッセージを送信する（ステップＡ−６）。
ＲＮＣ２１はＵＥ７１とのＲＡＢ確立実施後（ステップＡ−７）、ＣＮ１１に対してＲＡＮＡＰ：ＲＡＢ  Ａｓｓｉｇｎｍｅｎｔ  Ｒｅｓｐｏｎｓｅメッセージを返信し、このメッセージによって、ＵＥ７１とのＲＡＢ確立ができたことを通知する（ステップＡ−８）。
【００４８】
次にＣＮ１１は、フェムト基地局とのコネクションを確立するため、ＨＮＢ−ＧＷ４１に対してＲＡＮＡＰ：ＲＡＢ  Ａｓｓｉｇｎｍｅｎｔ  Ｒｅｑｕｅｓｔメッセージ（コネクション確立要求メッセージの一例）を送信する。その際、接続先のフェムト基地局を特定するために、ＨＮＢ  ＩＤなどのフェムト基地局番号とホームネットワークへのアクセス要求であることを示す情報を通知する。ＨＮＢ−ＧＷ４１は、ＣＮ１１からＲＡＮＡＰ：ＲＡＢ  Ａｓｓｉｇｎｍｅｎｔ  Ｒｅｑｕｅｓｔメッセージを受信すると、ＳＣＣＰコネクションの確立を行うため、ＳＣＣＰ：ＣＣメッセージを返信する（ステップＡ−９）。
【００４９】
ステップＡ−９で使用するメッセージの構成例が、非特許文献３の９．１．３章で定義されている。この定義には、ホームネットワークアクセス要求であることを示すパラメータがふくまれていないため、新たにパラメータを追加する。新たなパラメータを用いることによって、ＣＮ１１は、ホームネットワークアクセス要求であることをＨＮＢ６１へ通知することが可能になる。
【００５０】
ＨＮＢ−ＧＷ４１は、ＲＡＮＡＰ：ＲＡＢ  Ａｓｓｉｇｎｍｅｎｔ  Ｒｅｑｕｅｓｔメッセージを受信すると、フェムト基地局番号情報から、ＲＡＮＡＰメッセージをＨＮＢ６１に転送するため、ＲＵＡ：Ｃｏｎｎｅｃｔメッセージを送信する（ステップＡ−１０）。
【００５１】
ＨＮＢ６１は、ＲＵＡ：Ｃｏｎｎｅｃｔメッセージを受信すると、転送されたＲＡＮＡＰメッセージの内容からホームネットワークへのアクセス要求であることを知る。そして、内部でＲＡＢの確立処理と宅内機器８１との接続のためにプライベートポートの開放を実施する（ステップＡ−１１）。ＨＮＢ６１内部では次のように動作する。受信部６１２は、ＣＮ１１が生成したＲＡＮＡＰメッセージを含むＲＵＡメッセージを、ＨＮＢ−ＧＷ４１経由で受信する。制御部６１１は、受信部６１２からＲＵＡメッセージを通知されると、ポート管理部６１４に対して、プライベートポートのアドレスを開放するように要求する。ポート管理部６１４は、制御部６１１からの要求に応じて、プライベートポートを開放する。
【００５２】
ＨＮＢ６１は、プライベートポートの開放を実施後、処理が完了したことを通知するＲＡＮＡＰ：ＲＡＢ  Ａｓｓｉｇｎｍｅｎｔ  Ｒｅｓｐｏｎｓｅメッセージ（コネクション確立完了メッセージの一例）をＨＮＢ−ＧＷ４１経由で返信する。これにより、ＨＮＢ６１は、コネクション確立が完了したことをＣＮ１１に通知する。これで、ＨＮＢ６１とＣＮ１１間でユーザーデータを転送するためのコネクションの確立が完了となる（ステップＡ−１２）。
【００５３】
ステップＡ−１２完了後、ＣＮ１１はＵＥ７１に対して、ＰＤＰ  Ｃｏｎｔｅｘｔの起動を受付けたことを通知し、ＵＥ７１とＣＮ１１間でユーザーデータを転送するためのコネクションの確立が完了となる。これで、ＵＥ７１はネットワークを経由してＨＮＢ６１に対してユーザーデータを送信することが可能となる（ステップＡ−１３）。
【００５４】
次に、ＵＥ７１は宅内機器８１との通信を実現するため、例えば、Ｕｎｉｖｅｒｓａｌ  Ｐｌｕｇ  ａｎｄ  Ｐｌａｙ（ＵＰｎＰ）機能を用いて、宅内機器８１の特定を行う。ＵＥ７１はＨＮＢ６１に対して、ＵＰｎＰのＳｅａｒｃｈ  Ｒｅｑｕｅｓｔメッセージを送信することでホームネットワーク（プライベートネットワーク）に対して、マルチキャストする。
【００５５】
その際、ＨＮＢ６１はＵＥ７１から受信したユーザーＩＰの送信元アドレスをＨＮＢ６１自身のアドレスに変換しマルチキャストを行う。宅内機器８１はＳｅａｒｃｈ  Ｒｅｑｕｅｓｔメッセージを受信し、宅内機器８１にアクセスするための情報（ＩＰアドレス等）をＨＮＢ６１経由でＵＥ７１に通知する。Ｒｅｓｐｏｎｓｅメッセージを受信したＵＥ７１は宅内機器８１にアクセスするための情報を取得できたため、宅内機器８１との間にＴＣＰコネクションの確立を行い、ホームネットワークアクセスが可能となる（ステップＡ−１４〜Ａ−１５）。
【００５６】
図６、図７を用いて説明したように、ＣＮ１１は、ＵＥ７１からホームネットワークアクセス要求を受信すると、まず、ＵＥ７１とＣＮ１１間のコネクションを確立し、続いて、ＣＮ１１とＨＮＢ６１間のコネクションを確立する。ＵＥ７１は、ＵＥ７１とＨＮＢ６１間のコネクションが確立されたことをＣＮ１１から通知されると、宅内機器８１へアクセスするためのコネクションを確立する。このようにして、本実施形態の通信システム及び通信方法では、ＵＥ７１と宅内機器８１間のコネクションを確立する。
【００５７】
また、図１０と図１１のシーケンス図を用いて、宅内にて宅内機器８１を遠隔操作する処理手順についても説明する。
基本的な処理手順については、外部から宅内機器を遠隔操作する処理手順は同じであるが、ＵＥ７１とＣＮ１１間でユーザーデータを転送するためのコネクションの確立手順が異なる。具体的には、ＨＮＢ６１とＨＮＢ−ＧＷ４１とを経由してコネクションを確立するため、ＲＵＡメッセージを用いる点が異なる（ステップＢ−１〜Ｂ−６とＢ−１１）。
【００５８】
その後のＨＮＢ６１とＣＮ１１間でユーザーデータを転送するためのコネクションの確立を行う手順（ステップＢ−７〜Ｂ−１０）、及び、ＵＥ７１が宅内機器８１との間にＴＣＰコネクションの確立を行う手順（ステップＢ−１２〜Ｂ−１３）については、外部から宅内機器８１を遠隔操作する処理手順と同様の手順が使用される。
【００５９】
以上説明したように、本実施形態においては、以下に記載するような効果を奏する。
第１の効果はフェムトセルシステムを用いて、ＵＥ７１が外部から宅内機器８１へのホームネットワークアクセスが可能になることである。従って、ＵＥ７１は、宅内あるいは宅外から宅内機器８１を遠隔操作することができる。
【００６０】
第２の効果は、ホームネットワークへのアクセスと通常サービスの識別がフェムトセルシステムで可能になることである。
【００６１】
（実施形態２）
実施形態２では、実施形態１とは異なる通信手順の態様について説明する。ＵＥ７１がＨＮＢ６１と直接通信を行うケース（図２）については、接続構成が異なるだけなので説明は省略するが、同様の実施手順が適用できる。
【００６２】
図１２と図１３を用いて、本実施形態の処理手順について説明する。ホームネットワークにアクセスを行うため、ＵＥ７１がＣＮ１１に対してサービス要求を行う処理から、着信先ノード（フェムト基地局装置）の決定処理、及び、ＵＥ７１とのＲＡＢ確立手順までは、実施形態１と手順が同じため、詳細説明は省略する（ステップＣ−１〜Ｃ−８）。
【００６３】
次にＣＮ１１はフェムト基地局とのコネクションを確立するため、ＨＮＢ−ＧＷ４１に対してＲＡＮＡＰ：ＲＡＢ  Ａｓｓｉｇｎｍｅｎｔ  ＲｅｑｕｅｓｔメッセージをＳＣＣＰコネクションの確立なしにＣｏｎｎｅｃｔｉｏｎｌｅｓｓで送信する。その際、ホームネットワークへのアクセス要求であることを示す情報（ホームネットワークアクセス要求）、及び、接続先のフェムト基地局を特定するために、ＨＮＢ  ＩＤのようなフェムト基地局番号を通知する（ステップＣ−９）。
【００６４】
ＨＮＢ−ＧＷ４１は、ＲＡＮＡＰ：ＲＡＢ  Ａｓｓｉｇｎｍｅｎｔ  Ｒｅｑｕｅｓｔメッセージを受信すると、フェムト基地局番号情報から、ＲＡＮＡＰメッセージをＣｏｎｎｅｃｔｉｏｎｌｅｓｓでＨＮＢ６１に転送するため、ＲＵＡ：  Ｃｏｎｎｅｃｔｉｏｎｌｅｓｓ  Ｔｒａｎｓｆｅｒメッセージを送信する（ステップＣ−１０）。
【００６５】
ＨＮＢ６１は、ＲＵＡ：Ｃｏｎｎｅｃｔｉｏｎｌｅｓｓ  Ｔｒａｎｓｆｅｒメッセージを受信すると、転送されたＲＡＮＡＰメッセージの内容からホームネットワークへのアクセス要求であることを知り、内部でＲＡＢの確立処理と宅内機器との接続のためにプライベートポートの開放を実施する（ステップＣ−１１）。
【００６６】
プライベートポートの開放を実施後、ＨＮＢ６１は、処理が完了したことをＲＡＮＡＰ：ＲＡＢ  Ａｓｓｉｇｎｍｅｎｔ  ＲｅｓｐｏｎｓｅメッセージをＲＵＡ：Ｃｏｎｎｅｃｔメッセージに設定して返信することでＣＮ１１に通知する。その際、ＨＮＢ−ＧＷ４１はＳＣＣＰコネクションの確立も合わせて実施する。これで、ＨＮＢ６１とＣＮ１１間でユーザーデータを転送するためのコネクションの確立が完了となる（ステップＣ−１２）。
【００６７】
その後、実施されるＰＤＰ  Ｃｏｎｔｅｘｔの起動を受付けたことの通知、宅内機器８１の特定、宅内機器８１との間のＴＣＰコネクションの確立手順は実施形態１と同じため、詳細説明は省略する（ステップＣ−１３〜Ｃ−１５）。
【００６８】
以上説明したように、本実施形態によれば、実施形態１と異なる通信手順であっても、ＣＮ１１は、ＵＥ７１とＨＮＢ６１との間のコネクションを確立することができる。
【００６９】
（実施形態３）
実施形態３では、さらに他の通信手順の態様について説明する。
図１４と図１５を用いて、本実施形態の処理手順について説明する。ホームネットワークにアクセスを行うため、ＵＥ７１がＣＮ１１に対してサービス要求を行う処理から、着信先ノード（フェムト基地局装置）の決定処理、及び、ＵＥ７１とのＲＡＢ確立手順までは、実施形態１と手順が同じため、詳細説明は省略する（ステップＤ−１〜Ｄ−８）。
【００７０】
次にＣＮ１１はＨＮＢ６１に対してホームネットワークアクセス要求が発生したことを通知するため、ＲＡＮＡＰ：Ｐａｇｉｎｇメッセージ（コネクション確立要求メッセージの一例）をＳＣＣＰコネクションの確立なしにＣｏｎｎｅｃｔｉｏｎｌｅｓｓで送信する。その際、ホームネットワークへのアクセス要求であることを示す情報、及び、接続先のフェムト基地局を特定するために、フェムト基地局番号を通知する（ステップＤ−９）。
【００７１】
図１６に、ステップＤ−９で使用するメッセージの構成を示す。図１３では、メッセージに含まれるパラメータを示している。これらのパラメータは、非特許文献３の９．１．２３章に定義されているため、各パラメータの詳細な説明を省略する。ホームネットワークアクセス要求であることは、「Ｐａｇｉｎｇ  Ｃａｕｓｅ」に設定することができる。図１７に、「Ｐａｇｉｎｇ  Ｃａｕｓｅ」に現段階で設定されている情報を示す。本実施形態では、「Ｐａｇｉｎｇ  Ｃａｕｓｅ」に、新たにホームネットワークアクセスであることを示すＩＥ  ｔｙｐｅ  ａｎｄ  ｒｅｆｅｒｅｎｃｅを設定することによって、ＣＮ１１は、ホームネットワークアクセス要求であることをＨＮＢ６１へ通知することが可能になる。
【００７２】
ＨＮＢ−ＧＷ４１は、ＲＡＮＡＰ：Ｐａｇｉｎｇメッセージを受信すると、フェムト基地局番号情報から、ＲＡＮＡＰメッセージをＣｏｎｎｅｃｔｉｏｎｌｅｓｓでＨＮＢ６１に転送するため、ＲＵＡ：  Ｃｏｎｎｅｃｔｉｏｎｌｅｓｓ  Ｔｒａｎｓｆｅｒメッセージを送信する（ステップＤ−１０）。
【００７３】
ＨＮＢ６１は、ＲＵＡ：Ｃｏｎｎｅｃｔｉｏｎｌｅｓｓ  Ｔｒａｎｓｆｅｒメッセージを受信すると、ＵＥ７１に対して、ページングメッセージを転送せず、ＲＵＡ：  ＣｏｎｎｅｃｔメッセージをＨＮＢ−ＧＷ４１に送信することによって、ＳＣＣＰコネクションの確立を行う（ステップＤ−１１）。
【００７４】
ＳＣＣＰコネクションの確立後、ＣＮ１１は、ＲＡＮＡＰ：ＲＡＢ  Ａｓｓｉｇｎｍｅｎｔ  Ｒｅｑｕｅｓｔメッセージを送信する。その際、ホームネットワークへのアクセス要求であることを示す情報を通知する。ＨＮＢ−ＧＷ４１は、ＲＡＮＡＰ：ＲＡＢ  Ａｓｓｉｇｎｍｅｎｔ  Ｒｅｑｕｅｓｔメッセージを受信すると、ＲＡＮＡＰメッセージをＨＮＢ６１に転送するため、ＲＵＡ：Ｄｉｒｅｃｔ  Ｔｒａｎｓｆｅｒメッセージを送信する（ステップＤ−１２）。
【００７５】
ＨＮＢ６１は、ＲＵＡ：Ｄｉｒｅｃｔ  Ｔｒａｎｓｆｅｒメッセージを受信すると、転送されたＲＡＮＡＰメッセージの内容からホームネットワークへのアクセス要求であることを知り、内部でＲＡＢの確立処理と宅内機器との接続のためにプライベートポートの開放を実施する（ステップＤ−１３）。
【００７６】
プライベートポートの開放を実施後、ＨＮＢ６１は、処理が完了したことをＲＡＮＡＰ：ＲＡＢ  Ａｓｓｉｇｎｍｅｎｔ  ＲｅｓｐｏｎｓｅメッセージをＲＵＡ：  Ｄｉｒｅｃｔ  Ｔｒａｎｓｆｅｒメッセージに設定して返信することによって、ＣＮ１１に通知する。これで、ＨＮＢ６１とＣＮ１１間でユーザーデータを転送するためのコネクションの確立が完了となる（ステップＤ−１４）。
【００７７】
その後、実施されるＰＤＰ  Ｃｏｎｔｅｘｔの起動を受付けたことの通知、宅内機器８１の特定、宅内機器８１との間のＴＣＰコネクションの確立手順は図２と同じため、詳細説明は省略する（ステップＤ−１５〜Ｄ−１７）。
【００７８】
以上説明したように、本実施形態によれば、上記各実施形態と異なる通信手順であっても、ＣＮ１１は、ＵＥ７１とＨＮＢ６１との間のコネクションを確立することができる。
【００７９】
（その他の実施形態）
上記以外の実施形態として、ＨＮＢ−ＧＷ４１に送信するＲＡＮＡＰメッセージに関して、新規メッセージを用いることで既存メッセージに影響を与えずに、ホームネットワークへのアクセスを実現することも可能である。
【００８０】
ＵＥ７１がＣＮ１１に通知するＮＡＳ（Non Access Stratum）メッセージに関しても、ホームネットワークへのアクセス要求に対して新規メッセージを用いることで既存メッセージに影響を与えずに、サービスを実現することが可能である。
【００８１】
アクセス先のフェムト基地局が複数存在する場合、ＵＥ７１において、接続先を１つに特定してからホームネットワークへのアクセス要求を実施することでも、接続先をＵＥ７１で特定せずＣＮ１１が複数のフェムト基地局に対して、コネクションの確立要求を行い、宅内機器を特定する手順においてＵＥ７１からの要求をＣＮ１１がマルチキャストすることで実現が可能になる。
【００８２】
２ＧシステムやＬＴＥ（Long Term Evolution）においてもメッセージは異なるが、同様の手順が適用できる。
【００８３】
上記各実施形態では、フェムト基地局装置を用いて説明したが、これに限られることはない。宅内に設置され、コアネットワークと接続可能な基地局であり、ホームネットワークに接続する宅内用の基地局であれば、本発明を適用することが可能である。
【００８４】
また、ＣＮ１１及びＨＮＢ６１がコネクションを確立する処理についてはプログラムを用いてコンピュータに実行させることが可能である。コンピュータは、プログラム（命令群）をメモリにロードし、ＣＰＵ（Central Processing Unit）の制御のもとで、各命令を実行させる。また、プログラムはコンピュータが読み取り可能な記録媒体に格納することができる。
【００８５】
たとえば、ＣＮ１１がコンピュータに実行させるプログラムは少なくとも次の処理を実現する。（１）アクセス要求メッセージに応じて、通信端末が接続可能な宅内基地局装置を選択する処理。ここで、アクセス要求メッセージは上述した通り、通信端末が送信するメッセージであり、宅内基地局装置を介してホームネットワークへアクセスすることを要求することを示す情報を含む。（２）通信端末と宅内基地局装置との間のコネクションを確立させる処理。
【００８６】
また、ＨＮＢ６１がコンピュータに実行させるプログラムは少なくとも次の処理を実現する。（１）コネクション確立要求メッセージに応じて、ポートを開放する処理。ここで、コネクション確立要求メッセージは上述した通り、ＣＮ１１が送信するメッセージであり、通信端末がホームネットワークへアクセスするコネクションの確立を要求することを示す情報を含む。（２）ポートの開放処理が完了すると、コネクションの確立要求が完了したことを通知するメッセージを通知する処理。
【００８７】
なお、本発明は上記に示す実施形態に限定されるものではない。本発明の範囲において、上記実施形態の各要素を、当業者であれば容易に考えうる内容に変更、追加、変換することが可能である。
【符号の説明】
【００８８】
１１  コアネットワーク（ＣＮ）
２１  基地局制御装置（ＲＮＣ）
３１  マクロ基地局（ＮｏｄeＢ）
４１  フェムトゲートウェイ（ＨＮＢ−ＧＷ）
５１  モデム
６１  フェムト基地局装置（ＨＮＢ）
７１  移動機（ＵＥ）
８１  宅内機器
９１  インターネット
１１１、６１１  制御部、
１１２、６１２  受信部
１１３、６１３  送信部
１１４  データ部
１１５、６１５  通信部
６１４  ポート管理部
【図１】
2010283763.tif 000003
【図２】
2010283763.tif 000004
【図３】
2010283763.tif 000005
【図４】
2010283763.tif 000006
【図５】
2010283763.tif 000007
【図６】
2010283763.tif 000008
【図７】
2010283763.tif 000009
【図８】
2010283763.tif 000010
【図９】
2010283763.tif 000011
【図１０】
2010283763.tif 000012
【図１１】
2010283763.tif 000013
【図１２】
2010283763.tif 000014
【図１３】
2010283763.tif 000015
【図１４】
2010283763.tif 000016
【図１５】
2010283763.tif 000017
【図１６】
2010283763.tif 000018
【図１７】
2010283763.tif 000019